【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
場所のストリートビューをモバイルデバイス上に表示するための方法であって、
場所を決定するステップと、
前記場所の表示されるべきビューを決定するステップと、
前記表示されるべきビューに関連する画像及びデータの取得を開始するステップと、
前記場所の完全なパノラマのストリートビューが描画されるまでの間、前記場所の暫定的で補足的なパノラマのストリートビューを表示するステップであって、前記暫定的で補足的なパノラマのストリートビューは、前記完全なパノラマのストリートビューの特徴に基づく画像とテキスト注釈を含み、前記画像は、建物のおおよその色合いと建物の窓の数のうちの少なくとも１つを表現するベクトル表現であることを特徴とするステップと、
前記画像及びデータの取得が完了したことを受けて、前記完全なパノラマのストリートビューを描画することによって、前記暫定的で補足的なパノラマのストリートビューを置き換えるステップと、
を含む、方法。
【請求項２】
前記画像は、前記パノラマのストリートビューの中央に対応する画像タイルが当該パノラマのストリートビューの周辺部に対応する画像タイルと比べてより高い優先順位で受け取られるように、画像リクエストをスケジューリングすることによって取得される、請求項１に記載の方法。
【請求項３】
前記画像は、前記モバイルデバイスへストリームされるように、画像タイルに関係する個々の画像リクエストを１つのリクエストに結合することによって取得される、請求項２に記載の方法。
【請求項４】
関心のある構造物の画像を高解像度で取得し他の構造物の画像をスケールダウンされた解像度で取得する非ホモジェニック（non-homogenic）スケーリングを利用して前記パノラマのストリートビューを描画する、請求項１〜３のいずれか一項に記載の方法。
【請求項５】
前記テキスト注釈は、前記暫定的で補足的なパノラマのストリートビュー内のそれぞれの構造物に関する既定フォントによるテキスト記述及びスタイル化された記述のうちの少なくともいずれかを含む、請求項１〜４のいずれか一項に記載の方法。
【請求項６】
タッチをベースとしたジェスチャー、カメラをベースとした入力、コンパスをベースとした方向の変化、加速度計をベースとした位置の変化、トラックボールの動き、音声入力、及びソフトキー入力からなる一群のうちの少なくとも１つに基づいて、前記パノラマのストリートビューにわたってユーザーがナビゲートすることを可能にするステップを更に含む、請求項１〜５のいずれか一項に記載の方法。
【請求項７】
前記タッチをベースとしたジェスチャーは、パノラマのストリートビューを横方向に移動させる横向きのスライドジェスチャー、パノラマのストリートビューをズームアウトさせるピンチインジェスチャー、パノラマのストリートビューをズームインさせるピンチアウトジェスチャーのうちの１つを含む、請求項６に記載の方法。
【請求項８】
予め定められたズームレベルで、ストリートの片側を表示したパノラマビューから環状のパノラマビューへ自動的に遷移することを更に含む、請求項７に記載の方法。
【請求項９】
前記タッチをベースとしたジェスチャーは、Ｕターンを行うための単一の上下動のジェスチャー、ストリートの両側が見えるようにするための２本の指を離して行う上下動の動作、前方へ進んでストリートを横断するための折れ線状に弧を描くドラッグ動作、及びエリアをベースとしたジェスチャーのうちの１つを更に含む、請求項６に記載の方法。
【請求項１０】
前記パノラマのストリートビューにわたってユーザーがナビゲートすることを可能にするステップは、
前記ストリートビューを通して前記ユーザーが場所のスナップショットを撮影することを可能にするステップと、
タッチをベースとしたジェスチャー、トラックボールの動き、ソフトキー入力、及び音声入力からなる一群のうちの少なくとも１つを用いて、前記スナップショットにわたってナビゲートするステップと、
を更に含む、請求項６に記載の方法。
【請求項１１】
前記場所を決定するステップは、ユーザー入力、全地球測位サービス（ＧＰＳ）をベースとした入力、携帯電話基地局による三角測量をベースとした入力、及び無線データネットワーク位置からなる一群のうちの少なくとも１つに基づいて、場所を決定するステップであって、
前記場所の表示されるべきビューを決定するステップは、ユーザー入力、カメラをベースとした入力、コンパスをベースとした入力、加速度計をベースとした入力、タッチをベースとした入力、トラックボールをベースとした入力、及びマイクロフォンをベースとした入力からなる一群のうちの少なくとも１つに基づいて、前記場所の表示されるべきビューを決定するステップである、
ことを特徴とする請求項１〜１０のいずれか一項に記載の方法。
【請求項１２】
請求項１〜１１のいずれか一項に記載の方法を実行するためのプログラム。
【請求項１３】
請求項１〜１１のいずれか一項に記載の方法を実行するためのプログラムを記録した記録媒体。
【請求項１４】
場所のパノラマストリートビューを表示するためのモバイルデバイスであって、
通信モジュールと、
ディスプレイと、
地図アプリケーションを実行するように構成されたプロセッサーと、を含み、
前記地図アプリケーションは、
場所を決定し、
前記場所の表示されるべきビューを決定し、
前記場所の前記表示されるべきビューに関連する画像及びデータの取得を開始し、
前記場所の完全なパノラマのストリートビューが描画されるまでの間、建物のおおよその色合いと建物の窓の数のうちの少なくとも１つを表現するベクトル表現である画像とテキスト注釈を含み前記完全なパノラマのストリートビューの特徴に基づく前記暫定的で補足的なパノラマのビューを表示し、
前記画像及びデータの取得が完了したことを受けて、前記完全なパノラマストリートビューを描画することによって、前記暫定的で補足的なパノラマのストリートビューを置き換える
ように構成されている、モバイルデバイス。
【請求項１５】
前記画像は、前記パノラマのストリートビューの中央に対応する画像タイルが当該パノラマのストリートビューの周辺部に対応する画像タイルと比べてより高い優先順位で受け取られるように、画像リクエストをスケジューリングすることによって取得される暫定的で補足的なパノラマのストリートビューように構成されている、請求項１４に記載のモバイルデバイス。
【請求項１６】
前記画像は、前記モバイルデバイスへストリームされるように、画像タイルに関係する個々の画像リクエストを１つのリクエストに結合することによって取得されるように構成されている、請求項１５に記載のモバイルデバイス。
【請求項１７】
関心のある構造物の画像を高解像度で取得し他の構造物の画像をスケールダウンされた解像度で取得する非ホモジェニック（non-homogenic）スケーリングを利用して前記パノラマのストリートビューを描画するように構成されている、請求項１４〜１６のいずれか一項に記載のモバイルデバイス。
【請求項１８】
前記テキスト注釈は、前記暫定的で補足的なパノラマのストリートビュー内のそれぞれの構造物に関する既定フォントによるテキスト記述及びスタイル化された記述のうちの少なくともいずれかを含むように構成されている、請求項１４〜１７のいずれか一項に記載のモバイルデバイス。
【請求項１９】
タッチをベースとしたジェスチャー、カメラをベースとした入力、コンパスをベースとした方向の変化、加速度計をベースとした位置の変化、トラックボールの動き、音声入力、及びソフトキー入力からなる一群のうちの少なくとも１つに基づいて、前記パノラマのストリートビューにわたってユーザーがナビゲートすることを可能にするように構成されている、請求項１４〜１８のいずれか一項に記載のモバイルデバイス。
【請求項２０】
前記タッチをベースとしたジェスチャーは、パノラマのストリートビューを横方向に移動させる横向きのスライドジェスチャー、パノラマのストリートビューをズームアウトさせるピンチインジェスチャー、パノラマのストリートビューをズームインさせるピンチアウトジェスチャーのうちの１つを含むように構成されている、請求項１９に記載のモバイルデバイス。
【請求項２１】
予め定められたズームレベルで、ストリートの片側を表示したパノラマビューから環状のパノラマビューへ自動的に遷移することを更に含む、請求項２０に記載のモバイルデバイス。
【請求項２２】
前記タッチをベースとしたジェスチャーは、Ｕターンを行うための単一の上下動のジェスチャー、ストリートの両側が見えるようにするための２本の指を離して行う上下動の動作、前方へ進んでストリートを横断するための折れ線状に弧を描くドラッグ動作、及びエリアをベースとしたジェスチャーのうちの１つを更に含む、請求項１９に記載のモバイルデバイス。
【請求項２３】
前記パノラマのストリートビューにわたってユーザーがナビゲートすることを可能にするときに、
前記ストリートビューを通して前記ユーザーが場所のスナップショットを撮影することを可能にし、前記スナップショットを、タッチをベースとしたジェスチャー、トラックボールの動き、ソフトキー入力、及び音声入力からなる一群のうちの少なくとも１つを用いてナビゲートする、
ことを更に含む、請求項１９に記載のモバイルデバイス。
【請求項２４】
ユーザー入力、全地球測位サービス（ＧＰＳ）をベースとした入力、携帯電話基地局による三角測量をベースとした入力、及び無線データネットワーク位置からなる一群のうちの少なくとも１つに基づいて、前記場所を決定し、
ユーザー入力、カメラをベースとした入力、コンパスをベースとした入力、加速度計をベースとした入力、タッチをベースとした入力、トラックボールをベースとした入力、及びマイクロフォンをベースとした入力からなる一群のうちの少なくとも１つに基づいて、前記場所の表示されるべきビューを決定する、
ことを特徴とする請求項１４〜２３のいずれか一項に記載のモバイルデバイス。